(57)【要約】      （修正有）【課題】携帯電子端末からカバーを外す煩雑さを解消し、端末の背面デザインを容易に着せ替え可能な携帯電子端末カバーを提供する。【解決手段】情報電子端末本体Ａの側面を保持可能な枠体２と、枠体の背面に、開閉可能な透明背面板４とを備え、透明背面板の正面側に、薄型収納空間３を有する。【選択図】図２
0003227676.tif 000002
【実用新案登録請求の範囲】
【請求項１】
情報電子端末本体の側面を保持可能な枠体と、
前記枠体の背面に、開閉可能な透明背面板とを備え、
前記透明背面板の正面側に、薄型収納空間を有する
ことを特徴とする携帯電子端末カバー。
【請求項２】
前記透明背面板は、前記枠体の一端に対して回動可能に取り付けられ、前記薄型収納空間を開閉自在とすることを特徴とする請求項１記載の携帯電子端末カバー。
【請求項３】
前記透明背面板は、背面に対して平行に摺動することにより着脱可能に取り付けられることを特徴とする請求項１記載の携帯電子端末カバー。
【請求項４】
前記透明背面板は、前記枠体に対し、着脱自在に接合されたことを特徴とする請求項１記載の携帯電子端末カバー。
【考案の詳細な説明】
【技術分野】
【０００１】
本考案は、スマートフォン等の携帯電子端末の背面デザインを容易に変更可能な携帯電子端末カバーに関する。
【背景技術】
【０００２】
従来、カスタマイズ可能な携帯電子端末カバーは、先行文献１による、スマートフォンカバー本体（一般品、蓄光原料混合品）にキャラクター等のデザインを直接印刷せず、透明の樹脂カバーを使い、ＯＨＰ等の透明シートにキャラクター等の複雑なデザインを印刷し、ＯＨＰ等の透明シート越しに蓄光品の輝度を使って、暗い場所でもデザインを浮かび上らせることが可能となるＯＨＰ等の透明シートを蓄光品と透明の樹脂カバーを組み合せることを特徴とする蓄光デザインスマートフォンカバー構造の物品である。
【先行技術文献】
【特許文献】
【０００３】
【特許文献１】実用新案登録第３１９０４５１号
【考案の概要】
【考案が解決しようとする課題】
【０００４】
しかし、従来技術のカバー構造では、携帯電子端末の背面デザインを変更する際に、その都度情報電子端末からカバーを外す必要あり、煩雑であった。
【０００５】
また、カバーを外す際に、勢い余って情報電子端末を床等に落としてしまい、破損や故障につながるおそれもあった。
【課題を解決するための手段】
【０００６】
そこで、上記課題を解決するための手段として本考案に係る携帯電子端末カバーは、情報電子端末本体の側面を保持可能な枠体と、前記枠体の背面に、開閉可能な透明背面板とを備え、前記透明背面板の正面側に、薄型収納部を有することを特徴とする。
【０００７】
また、前記透明背面板は、前記枠体の一端に対して回動可能に取り付けられ、前記薄型収納空間を開閉自在としてもよい。携帯電子端末からカバーを取り外すことなく容易に背面デザインを変更できるからである。
【０００８】
また、前記透明背面板は、背面に対して平行に摺動することにより着脱可能に取り付けられるとしてもよい。携帯電子端末からカバーを取り外すことなく容易に背面デザインを変更できるからである。
【０００９】
また、前記透明背面板は、前記枠体に対し、着脱自在に嵌合されたとしてもよい。携帯電子端末からカバーを取り外すことなく容易に背面デザインを変更できるからである。
【００１０】
前記携帯電子端末カバーは、例えば、スマートフォン、携帯電話機、携帯ゲーム機、携帯オーディオプレイヤー機などの種々の携帯電子端末に用いることができる。
【００１１】
前記携帯電子端末カバーの枠体の素材としては、樹脂、金属、木材など種々の素材を採用することができる。
【００１２】
前記携帯電子端末カバーの透明背面板の素材としては、樹脂やガラスなど種々の素材を採用することができる。
【００１３】
前記携帯電子端末カバーの薄型収納空間には、ステッカーのほか、名刺、カード、紙幣などを収納することができるとしてもよい。
【考案の効果】
【００１４】
本考案によれば、情報電子端末の背面デザインを変更する際に、携帯電子端末からカバーを取り外す必要がなくなり、携帯電子端末背面のデザインを容易に変更することができる。
【００１５】
また、携帯電子端末本体からカバーを外す必要がなくなるため、勢い余って情報電子端末を床等に落としてしまい、破損や故障につながるおそれも解消された。
【図面の簡単な説明】
【００１６】
【図１】本考案の第一の実施の形態を示す正面図である。
【図２】本考案の第一の実施の形態を示す透明背面板３開放時の斜視図である。
【図３】本考案の第一の実施の形態を示す薄型収納空間に３ステッカー等を収納した状態を表す正面図である。
【図４】本考案の第二の実施の形態を示す正面図である。
【図５】本考案の第三の実施の形態を示す分解斜視図である。
【考案を実施するための形態】
【００１７】
以下、本考案に係る実施の形態を、図を参照しながら詳しく説明する。なお、本明細書及び図面において、実質的に同一の機能構成を有する構成要素については、同一の符号を付することにより重複説明を省略する。
【００１８】
図１〜図３は、本考案の携帯電子端末カバー１の第一の実施の形態を示すものある。この携帯電子端末カバー１は、枠体２と、薄型収納空間３と、透明背面板４と、引掛部５と、小枠体６と、固定部材７とを備える。
【００１９】
まず、携帯電子端末本体Aに、枠体２を嵌合させることにより携帯電子端末本体Aを保持する。
次に前記枠体２内部に収納された透明背面板４を開放する。前記透明背面板４から外方に突出した引掛部５を指で押し上げる。これにより、前記透明背面板４が開放され、薄型収納空間３にお気に入りのステッカー８等を収納することができる。
ステッカー等収納後は、再び前記透明背面板４を枠体２内部に収納する。
【００２０】
前記透明背面板４は、前記枠体２から延設された固定部材７により、前記枠体２の一端に対して回動可能に取り付けられている。これにより、前記透明背面板４は、前記薄型収納空間３を開閉自在にできる。
【００２１】
なお、前記透明背面板４のうち、携帯電子端末本体Aの背面に設けられたカメラレンズや、ライト、指紋認証部分等には、小枠体６を設け、前記透明背面板４と干渉しないようにする。
【００２２】
前記引掛部５は、前記固定部材７以外に近接していなければ、前記透明背面板４のどこに設けてもよい。
【００２３】
図４は、本考案の携帯電子端末カバー１の第二の実施の形態を示すものある。この携帯電子端末カバー１は、枠体２と、薄型収納空間３と、透明背面板４と、小枠体６、レール部材１０とを備える。
【００２４】
前記透明背面板４は、前記枠体２から延設されたレール９を摺動することにより着脱可能に取り付けられる。
【００２５】
前記レール９は、対辺に設置するが、別途もう一辺に設けてもよい。前記透明背面板４が前記携帯電子端末カバー１から不用意に外れることを防ぐためである。
【００２６】
なお、前記透明背面板４のうち、携帯電子端末本体Aの背面に設けられたカメラレンズや、ライト、指紋認証部分等には、小枠体６を設け、前記透明背面板４と干渉しないようにする。
【００２７】
図５は、本考案の携帯電子端末カバー１の第三の実施の形態を示すものある。この携帯電子端末カバー１は、枠体２と、薄型収納空間３と、透明背面板４と、小枠体６と、凸部１０と、凹部１１とを備える。
【００２８】
前記透明背面板４の裏側に突出した凸部１０は、前記枠体２の背面に陥没した凹部１１に対応し、着脱自在に嵌合される。
【００２９】
また、前記凸部１０及び前記凹部１１は、マグネットや面ファスナー等により接合されてもよい。
【００３０】
なお、前記透明背面板４のうち、携帯電子端末本体Aの背面に設けられたカメラレンズや、ライト、指紋認証部分等には、小枠体６を設け、前記透明背面板４と干渉しないようにする。
【符号の説明】
【００３１】
A    携帯電子端末本体
１    携帯電子端末カバー
２    枠体
３    薄型収納空間
４    透明背面板
５    引掛部
６    小枠体
７    固定部材
８    ステッカー
９    レール
１０  凸部
１１  凹部
【図１】
0003227676.tif 000003
【図２】
0003227676.tif 000004
【図３】
0003227676.tif 000005
【図４】
0003227676.tif 000006
【図５】
0003227676.tif 000007